(57)【要約】【課題】Ｗ−ＣＤＭＡ移動通信システムのＲＮＣで、Ｃ−Ｕ分離をなす場合、ページング処理に際し、既存のインタフェースに影響を与えず、またＣ−Ｕ間の信号量が最も少ないようにする。【解決手段】ＣＰＳが、ペーシング処理起動のための外部トリガに応答して、この外部トリガに含まれる端末識別情報に基づきページンググループ情報を決定し（Ｓ３）、このページンググループ情報をユーザプレーンを担当するＵＰＳに渡し（Ｓ６）、このＵＰＳにおいて、このページンググループ情報を基にページング用無線チャネル設定情報を生成する（Ｓ８）。ＣＰＳとＵＰＳとの間で渡されるページング情報は、無線依存でないページンググループという情報であり、ＵＰＳでは、これを無線依存の情報に変換してページングを行ので、ＲＮＣのＣ−Ｕ分離が可能になり、ＣＰＳとＵＰＳとが互いに依存しないで発展していくことができる。【選択図】      図４
2004194015.tif 000002
【特許請求の範囲】
【請求項１】
移動端末に関するユーザデータの転送制御をなすユーザプレーン制御手段と、制御信号であるシグナリングの転送制御をなすコントロールプレーン制御手段とを含み、無線基地局を管理する無線制御装置であって、
前記コントロールプレーン制御手段は、ペーシング処理起動のための外部トリガに応答して、この外部トリガに含まれる端末識別情報に基づき、この端末識別情報により特定される移動端末が属する着信群を示すページンググループ情報を決定するページンググループ決定手段を有し、
前記ユーザプレーン制御手段は、このページンググループ情報を基に、前記無線基地局が生成するページング用無線チャネルのための設定情報を決定する無線チャネル設定情報決定手段を有することを特徴とする無線制御装置。
【請求項２】
前記コントロールプレーン制御手段と前記ユーザプレーン制御手段とを物理的に分離してなることを特徴とする請求項１記載の無線制御装置。
【請求項３】
前記ページンググループ決定手段は、前記端末識別情報と前記ページンググループ情報との変換テーブルを用いて前記ページンググループ情報を決定するようにしたことを特徴とする請求項１または２記載の無線制御装置。
【請求項４】
前記無線チャネル設定情報決定手段は、前記ページンググループ情報及び前記無線基地局における無線チャネルの現在の送信フレーム番号を基に、前記ページング用無線チャネルの送信フレーム番号情報及び当該チャネルに載せるための前記ページンググループ対応のページング識別子情報を、前記設定情報として決定することを特徴とする請求項１〜３いずれか記載の無線制御装置。
【請求項５】
前記コントロールプレーン制御手段は、ページング用メッセージを作成する手段を、更に有することを特徴とする請求項１〜４いずれか記載の無線制御装置。
【請求項６】
前記コントロールプレーン制御手段は、前記ページング用メッセージを送出する無線基地局を特定するためのページングエリア情報を決定する手段を、更に有することを特徴とする請求項５記載の無線制御装置。
【請求項７】
前記ユーザプレーン制御手段は、前記ページングエリア情報に従って、前記ページング用メッセージ及び前記設定情報を前記無線基地局へ送出することを特徴とする請求項６記載の無線制御装置。
【請求項８】
請求項１〜７いずれか記載の無線制御装置を含むことを特徴とする無線通信システム。
【請求項９】
移動端末に関するユーザデータの転送制御をなすユーザプレーン制御手段と、制御信号であるシグナリングの転送制御をなすコントロールプレーン制御手段とを含み、無線基地局を管理する無線制御装置における動作制御方法であって、
前記コントロールプレーン制御手段において、ペーシング処理起動のための外部トリガに応答して、この外部トリガに含まれる端末識別情報に基づき、この端末識別情報により特定される移動端末が属する着信群を示すページンググループ情報を決定するページンググループ決定ステップを有し、
前記ユーザプレーン制御手段において、このページンググループ情報を基に、前記無線基地局が生成するページング用無線チャネルのための設定情報を決定する無線チャネル設定情報決定ステップを有することを特徴とする動作制御方法。
【請求項１０】
前記コントロールプレーン制御手段と前記ユーザプレーン制御手段とが物理的に分離して設けられており、前記コントロールプレーン制御手段から前記ユーザプレーン制御手段へ、前記ページンググループ情報を送信するステップを有することを特徴とする請求項９記載の動作制御方法。
【請求項１１】
前記ページンググループ決定ステップは、前記端末識別情報と前記ページンググループ情報との変換テーブルを用いて前記ページンググループ情報を決定するようにしたことを特徴とする請求項９または１１記載の動作制御方法。
【請求項１２】
前記無線チャネル設定情報決定ステップは、前記ページンググループ情報及び前記無線基地局における無線チャネルの現在の送信フレーム番号を基に、前記ページング用無線チャネルの送信フレーム番号情報及び当該チャネルに載せるための前記ページンググループ対応のページング識別子情報を、前記設定情報として決定することを特徴とする請求項９〜１１いずれか記載の動作制御方法。
【請求項１３】
前記コントロールプレーン制御手段において、ページング用メッセージを作成するステップを、更に有することを特徴とする請求項９〜１２いずれか記載の動作制御方法。
【請求項１４】
前記コントロールプレーン制御手段において、前記ページング用メッセージを送出する無線基地局を特定するためのページングエリア情報を決定するステップを、更に有することを特徴とする請求項１３記載の動作制御方法。
【請求項１５】
前記ユーザプレーン制御手段において、前記ページングエリア情報に従って、前記ページング用メッセージ及び前記設定情報を前記無線基地局へ送出するステップを有することを特徴とする請求項１４記載の動作制御方法。
【発明の詳細な説明】
【０００１】
【発明の属する技術分野】
本発明は無線制御装置及びそれを用いた移動通信システム並びにその動作制御方法に関し、特にＷ−ＣＤＭＡセルラ方式の移動通信システムにおける無線制御装置（ＲＮＣ：Radio Network Controller）の改良に関するものである。
【０００２】
【従来の技術】
移動通信システムであるＷ−ＣＤＭＡ通信システムのアーキテクチャを図１０に示す。無線アクセスネットワーク（ＲＡＮ）１は、無線制御装置（ＲＮＣ）４，５と、ＮｏｄｅＢ６〜９により構成されており、交換機ネットワークであるコアネットワーク（ＣＮ）３とＩｕインタフェースを介して接続される。ＮｏｄｅＢ６〜９は無線送受信を行う論理的なノードを意味し、具体的には、無線基地局である。
【０００３】
ＮｏｄｅＢとＲＮＣ間のインタフェースはＩubと称されており、ＲＮＣ間のインタフェースとしてＩurインタフェースも規定されている。各ＮｏｄｅＢは１つあるいは複数のセルである無線エリア１０を形成するものであり、ＮｏｄｅＢは移動機（ＵＥ）２と無線インタフェースＵu を介して接続されている。ＮｏｄｅＢは無線回線を終端し、ＲＮＣはＮｏｄｅＢの管理と、ソフトハンドオーバ時の無線パスの選択合成を行うものである。なお、図１０に示したアーキテクチャの詳細は３ＧＰＰ（３rd Generation Partnership Projects）に規定されており、非特許文献１に明記されている。
【０００４】
この図１０に示したＷ−ＣＤＭＡ通信システムにおける無線インタフェースのプロトコルアーキテクチャを図１１に示している。図に示す如く、このプロトコルアーキテクチャは、Ｌ１として示す物理レイヤ（ＰＨＹ）１１と、Ｌ２として示すデータリンクレイヤ１２と、その上位レイヤに位置しＬ３として示すネットワークレイヤ（ＲＲＣ：Radio Resource Control）１３とからなる３層のプロトコルレイヤにより構成されている。Ｌ２のデータリンクレイヤはＭＡＣ（Media Access Control）１２１と、ＲＬＣ（Radio Link Control）１２２との２つサブレイヤを含んでいる。
【０００５】
図中の楕円はレイヤ間、あるいはサブレイヤ間のサービスアクセスポイント（ＳＡＰ）を示しており、ＲＬＣ１２２とＭＡＣ１２１との間のＳＡＰは論理チャネルを提供する。つまり、論理チャネルは、ＭＡＣ１２１からＲＬＣ１２２へ提供されるチャネルであり、伝送信号の機能や論理的な特性によって分類され、転送される情報の内容により特徴づけられるものである。この論理チャネルの例としては、共通チャネルであるＣＣＣＨ（Common Control Channel）、ＰＣＣＨ（Paging Control Channel）、個別チャネルであるＤＣＣＨ（Dedicated Control Channel ）、ＤＴＣＨ（Dedicated Traffic Channel ）等がある。
【０００６】
ＭＡＣ１２１と物理レイヤ１１との間のＳＡＰはトランスポートチャネルを提供する。つまり、トランスポートチャネルは、物理レイヤ１１からＭＡＣ１２１に提供されるチャネルであり、伝送形態によって分類され、無線インタフェースを介してどのような情報がどのように転送されるかで特徴づけられるものである。このトランスポートチャネルの例としては、ＦＡＣＨ（Forward Access Channel）と、ＲＡＣＨ（Random Access Channel ）と、ＰＣＨ（Paging Channel）と、ＤＣＨ（Dedicated Channel ）等がある。
【０００７】
物理レイヤ１１や、データリンクレイヤ１２は、ネットワークレイヤ（ＲＲＣ）１３により、制御チャネルを提供するＣ−ＳＡＰを介して制御されるようになっている。この図１１に示したプロトコルアーキテクチャの詳細はＡＲＩＢ  ＳＴＤ−Ｔ３６−２５．３０１ｖ．３．８に規定されている。
【０００８】
一般的に通信システムでは、通信プロトコルとこのプロトコルメッセージ転送機能をコントロールプレーン（Control Plane ：Ｃ−Ｐｌａｎｅ）と呼び、ユーザーデータの転送機能をユーザープレーン（User Plane：Ｕ−Ｐｌａｎｅ）と呼ぶ。
【０００９】
【非特許文献１】
２００１年丸善株式会社発行、立川敬二監修、「Ｗ−ＣＤＭＡ移動通信方式」ｐ．９６〜１０６
【００１０】
【非特許文献２】
３ＧＰＰ  ＴＳ２４．３０４ｖ３．７．０（Release 99），ｐ．２９
【００１１】
【発明が解決しようとする課題】
従来のＲＮＣにおいては、C-Plane （主にＲＲＣ）とU-Plane （主にＲＬＣ、ＭＡＣ）が物理的に一体となった装置となっていた。このようなC-Plane とU-Plane とが一体化された従来のＲＮＣでは、以下のような問題がある。
【００１２】
先ず第一に、C-plane の処理能力向上が必要な状況において、U-Plane に影響なくそれを行うことが困難であること。第二にU-Plane の処理能力向上が必要な状況において、C-Plane に影響なくそれを行うことが困難であること。また、第三に、C-Plane に過負荷が掛かる状況において、その影響がU-Plane にも及ぶ可能性があること。また、第四に、U-plane に過負荷が掛かる状況において、その影響がC-Plane にも及ぶ可能性があること、などがあげられる。
【００１３】
このような問題の解決策として、ＲＮＣにおけるＣ−Ｕ分離（C-plane とU-Plane との分離）が考えられる。これにより以下のメリットが考えられる。すなわち、C-plane ，U-plane が互いに依存しないで発展していくことができるという拡張性の向上があり、また、C-plane とU-plane に掛かる負荷が異なる状況でも柔軟に対応できるという、これまた柔軟性の向上があげられる。
【００１４】
ＲＮＣのＣ−Ｕ分離を行うためには、単純に装置を分割するのではなく、既存のインタフェース（Ｉub，Ｉu ，Ｕu 等）には影響を与えないことが必要となる。また、Ｃ−Ｕ間の信号量が最も少ない最適な分離を行う必要がある。
【００１５】
ＷＣＤＭＡシステムにおけるページング信号は、特定のＵＥに対しＲＮＣが送信するものである。特定のＵＥ向けのユーザデータが届いたこと（または着信があったこと）をＣＮからＲＮＣに報告を受けることをトリガとして、ページング信号の処理が起動する。ページング信号には、ページングメッセージが含まれる。ページング信号には、それに付随する信号があり、ＵＥはその付随する信号を受信し、ページング信号を受信すべきか判断する。付随する信号にはページング識別子ＰＩ（Paging Indication ）が載っている。このページング識別子ＰＩは複数のＵＥ（ＩＭＳＩ：International Mobile Subscriber Identify）に対応している。
【００１６】
具体的に述べると、ＮｏｄｅＢとＵＥとの間における無線チャネルにおいて、ページング信号は、下り方向の共通チャネルであるＳ−ＣＣＰＣＨ（Secondary-Common Control Channel）にマッピングされる。この信号に付随する信号はＰＩＣＨ（Paging Indication Channel ）であり、各ページンググループ（着信群）に対する着信情報の有無を送信するための信号である。あるページンググループ＃ｎに属するＵＥは、このＰＩＣＨにて当該ページンググループ＃ｎに対する着信ありと通知された場合に、Ｓ−ＣＣＰＣＨにマッピングされた対応する無線フレーム内のＰＣＨ（Paging Channel）を受信することになる。
【００１７】
このＰＣＨのページング信号を受信したＵＥは、ページングメッセージに自分の端末番号が含まれるか確認し、自分の端末番号が含まれていたときは、自分宛にユーザデータが届いたこと（または、着信があったこと）を認識するのである。ページングメッセージには、複数のＵＥ（ＩＭＳＩ）の識別子を載せることができる。これにより、複数のＣＮから同時に着信の報告があっても、１つのページングメッセージに多重化することができる。多重化することにより、全体のページングメッセージの信号量を減らすことができる。
【００１８】
ＲＮＣは適切な端末番号を含むページングメッセージを作成する必要がある。ページング信号はある特定のタイミングで送信される。ＵＥはこのタイミングを知っていれば、常にページング信号を待っている必要はないので、電力の節約になる。このように、ＵＥがページング信号を待っている状態を待ち受け状態という。ＵＥはこの待ち受け状態の時にページング信号を周期的に受信する。ページング信号の繰り返しの送信回数を増やせば、ＵＥがページング信号を受信する確率が増加する。その反面、下りの無線資源を無駄に使うことになる。
【００１９】
ＲＮＣはあるＵＥに対するページング信号の送信タイミングを計算し、その結果をＮｏｄｅＢに指示する。ＮｏｄｅＢに指示する内容はページング信号に付随する信号（ＰＩＣＨ）を生成するために必要な情報と、ページング信号の送信タイミングである。ＲＮＣは、ＮｏｄｅＢがページング信号（ページング信号に付随する信号）を送信するタイミングを指示する必要がある。また、そのタイミングに間に合うように、ＮｏｄｅＢへ必要な信号を送信する必要がある。また、ＲＮＣはページング信号に付随する信号を生成するために必要な情報としてページング識別子ＰＩを決定する必要がある。
【００２０】
ＵＥが待ち受け状態の時、ＲＮＣは端末の正確な位置が分からない。従って、ページング信号はある程度の広さのエリアに対して送信される。このエリアをページングエリアと呼ぶ。ページングエリアを広く取れば、ＵＥがページング信号を受信する確率が増加する。その反面、下りの無線資源を無駄に使うことになる。ＲＮＣは適切なページングエリアを選択し、そのエリアに含まれるＮｏｄｅＢに対してページング信号送信の指示を出す必要がある。
【００２１】
このようなページングシステムを実現するＲＮＣにおいて、C-plane とU-Plane との分離であるＣ−Ｕ分離を行う場合に、ページング信号をC-plane から端末にどのように送信するかを解決する必要がある。先述したが、このＣ−Ｕ分離に際しては、既存のインタフェース（Ｉub，Ｉu ，Ｕu 等）には影響を与えないこと及びＣ−Ｕ間の信号量が最も少ないことが必要条件となる。
【００２２】
そこで、本発明はかかる必要条件を満足しつつＣ−Ｕ分離を可能として、C-plane とU-plane とが互いに依存することなく発展し拡張することができるようにした無線制御装置及びそれを用いた移動通信システム並びにその動作制御方法を提供することである。
【００２３】
【課題を解決するための手段】
本発明による無線制御装置は、移動端末に関するユーザデータの転送制御をなすユーザプレーン制御手段と、制御信号であるシグナリングの転送制御をなすコントロールプレーン制御手段とを含み、無線基地局を管理する無線制御装置であって、前記コントロールプレーン制御手段は、ペーシング処理起動のための外部トリガに応答して、この外部トリガに含まれる端末識別情報に基づき、この端末識別情報により特定される移動端末が属する着信群を示すページンググループ情報を決定するページンググループ決定手段を有し、前記ユーザプレーン制御手段は、このページンググループ情報を基に、前記無線基地局が生成するページング用無線チャネルのための設定情報を決定する無線チャネル設定情報決定手段を有することを特徴とする。
【００２４】
そして、前記コントロールプレーン制御手段と前記ユーザプレーン制御手段とを物理的に分離してなることを特徴とする。また、前記ページンググループ決定手段は、前記端末識別情報と前記ページンググループ情報との変換テーブルを用いて前記ページンググループ情報を決定するようにしたことを特徴とする。
【００２５】
また、前記無線チャネル設定情報決定手段は、前記ページンググループ情報及び前記無線基地局における無線チャネルの現在の送信フレーム番号を基に、前記ページング用無線チャネルの送信フレーム番号情報及び当該チャネルに載せるための前記ページンググループ対応のページング識別子情報を、前記設定情報として決定することを特徴とする。
【００２６】
更に、前記コントロールプレーン制御手段は、ページング用メッセージを作成する手段を有することを特徴とし、更にはまた、前記ページング用メッセージを送出する無線基地局を特定するためのページングエリア情報を決定する手段を有することを特徴とする。そして、前記ユーザプレーン制御手段は、前記ページングエリア情報に従って、前記ページング用メッセージ及び前記設定情報を前記無線基地局へ送出することを特徴とする。
【００２７】
本発明による移動通信システムは、上記の各構成を有する無線基地局を含むことを特徴とする。
【００２８】
本発明による動作制御方法は、移動端末に関するユーザデータの転送制御をなすユーザプレーン制御手段と、制御信号であるシグナリングの転送制御をなすコントロールプレーン制御手段とを含み、無線基地局を管理する無線制御装置における動作制御方法であって、前記コントロールプレーン制御手段において、ペーシング処理起動のための外部トリガに応答して、この外部トリガに含まれる端末識別情報に基づき、この端末識別情報により特定される移動端末が属する着信群を示すページンググループ情報を決定するページンググループ決定ステップを有し、前記ユーザプレーン制御手段において、このページンググループ情報を基に、前記無線基地局が生成するページング用無線チャネルのための設定情報を決定する無線チャネル設定情報決定ステップを有することを特徴とする。
【００２９】
そして、前記コントロールプレーン制御手段と前記ユーザプレーン制御手段とが物理的に分離して設けられており、前記コントロールプレーン制御手段から前記ユーザプレーン制御手段へ、前記ページンググループ情報を送信するステップを有することを特徴とする。
【００３０】
また、前記ページンググループ決定ステップは、前記端末識別情報と前記ページンググループ情報との変換テーブルを用いて前記ページンググループ情報を決定するようにしたことを特徴とする。そして、前記無線チャネル設定情報決定ステップは、前記ページンググループ情報及び前記無線基地局における無線チャネルの現在の送信フレーム番号を基に、前記ページング用無線チャネルの送信フレーム番号情報及び当該チャネルに載せるための前記ページンググループ対応のページング識別子情報を、前記設定情報として決定することを特徴とする。
【００３１】
更に、前記コントロールプレーン制御手段において、ページング用メッセージを作成するステップを有することを特徴とし、更にはまた、前記コントロールプレーン制御手段において、前記ページング用メッセージを送出する無線基地局を特定するためのページングエリア情報を決定するステップを有することを特徴とする。そして、前記ユーザプレーン制御手段において、前記ページングエリア情報に従って、前記ページング用メッセージ及び前記設定情報を前記無線基地局へ送出するステップを有することを特徴とする。
【００３２】
【発明の作用】
本発明の作用を詳細に説明する。ページング処理のためのＲＮＣにおける機能には、ページングメッセージ作成機能と、ＮｏｄｅＢからページング信号を送信するタイミング（無線フレーム番号）決定機能と、ＮｏｄｅＢにおいてページング信号に付随する信号を生成するためのページング識別子決定機能と、ページングエリア決定機能とがある。
【００３３】
最初のページングメッセージ作成機能については、ページングメッセージが制御信号に相当することから、この機能はコントロールプレーン制御手段が担当することにすることにする。
【００３４】
次に、ＮｏｄｅＢからページング信号を送信するタイミング（無線フレーム番号）決定機能については、これをコントロールプレーン制御手段において行う場合には、コントロールプレーン制御手段とＮｏｄｅＢの間で同期が取れている必要がある。また、ページングメッセージ自体はコントロールプレーン制御手段→ユーザプレーン制御手段→ＮｏｄｅＢと経由してゆくために、ユーザプレーン制御手段とＮｏｄｅＢの間でも同期が取れている必要がある。従って、ＮｏｄｅＢはコントロールプレーン制御手段とユーザプレーン制御手段両方に同期を取る必要がある。これはＣ−Ｕ分離により同期のための信号量が増えることを意味する。そこで、ユーザプレーン制御手段において送信タイミングを決定すれば、ＮｏｄｅＢはユーザプレーン制御手段とだけ同期を取ればよいことになるが、送信タイミングを決定するための情報をコントロールプレーン制御手段からユーザプレーン制御手段に伝える手段が必要になる。
【００３５】
次に、ＮｏｄｅＢにおいてページング信号に付随する信号を生成するためのページング識別子決定機能については、これをコントロールプレーン制御手段において行う場合、ページングメッセージに付随してページング識別子ＰＩをユーザプレーン制御手段に送信することが必要になる。ただし、ページングメッセージとページング識別子ＰＩはレイヤーの異なる情報であるために（ページングメッセージはＲＲＣ、ページング識別子ＰＩはＰＨＹ）、これらを同列に扱うことは論理性に欠ける。ページング識別子をユーザプレーン制御手段において決定する時には、その問題は防げるが、ページング識別子を決定するための情報をコントロールプレーン制御手段からユーザプレーン制御手段に伝える手段が必要になる。
【００３６】
次に、ページングエリア決定機能については、これをユーザプレーン制御手段において行う場合には、複数ユーザプレーン制御手段で同一のＮｏｄｅＢが配下にある場合、ページング信号送信が複数回起きないように複数ユーザプレーン制御手段間で調整を行う必要があり、ユーザプレーン制御手段−ユーザプレーン制御手段間の信号量が増える。コントロールプレーン制御手段においてその決定を行う場合は、それぞれのユーザプレーン制御手段に対しページング信号送信するＮｏｄｅＢが重複しないように設定することができる。
【００３７】
以上のことから解決すべき問題は次の２点である。ページングタイミングはどちらのノードで計算するかという第一の問題と、ページングエリアはどちらのノードで決定するかという第二の問題である。
【００３８】
第一の問題は、ページング送信タイミングを計算する機能はコントロールプレーン制御手段、ユーザプレーン制御手段のどちらで担当するかという問題である。この機能は更に以下の機能に分けられる。ページング信号送信を始める無線フレーム番号の決定と、ＮｏｄｅＢに対し決定した無線フレーム番号より十分早いタイミングでのページング信号の送信機能である。この機能を実現するには、現在の無線フレーム番号を知っている必要がある。また、ページング信号（Ｓ−ＣＣＰＣＨ）に付随する信号（ＰＩＣＨ）をＮｏｄｅＢで作成するための情報の決定機能が必要である。この付随する信号には、ページング識別子ＰＩが載っている。このページング識別子ＰＩは複数のＵＥ（ＩＭＳＩ）に対応している。従って、ページング信号送信先のＵＥ（ＩＭＳＩ）がどのページング識別子ＰＩに対応しているかを判断する必要がある。
【００３９】
第二の問題は、適切なページングエリアの決定機能はコントロールプレーン制御手段、ユーザプレーン制御手段のどちらで担当するかという問題である。複数ユーザプレーン制御手段で同一のＮｏｄｅＢが配下にある場合、ページング信号送信が複数回起きないように複数ユーザプレーン制御手段間で調整を行う必要がある。これらの問題の解決策として、コントロールプレーン制御手段、ユーザプレーン制御手段が持つべき機能を以下のようにする。
【００４０】
コントロールプレーン制御手段が実装するページングに必要な機能は６つある。すなわち、
（１）ページングに必要な情報の決定作業を起動する外部メッセージを受信する機能である。外部メッセージには特定端末へ着信があることを示す情報が含まれる。または特定端末へのユーザデータそのものである。
【００４１】
（２）ページングエリアを決定する機能（第二の問題の解決）である。ページングエリアとは、同一内容のページングメッセージを送信するエリアのことを指す。上記外部メッセージにページングエリアに関係する情報がある時はそれを基に決定する。
【００４２】
（３）ページンググループを決定する機能（第一の問題の解決）である。ページンググループとは、特定のページングメッセージを間欠受信する端末のグループを指す。上記外部メッセージに含まれる着信先の端末番号を基に決定する。
【００４３】
（４）ページングメッセージ作成機能である。ページングメッセージとは、ページング用無線チャネル（Ｓ−ＣＣＰＣＨ）を使って端末に送信される情報の事を指す。間欠受信する端末はこのメッセージを見て着信があるかを判断する。
【００４４】
（５）ページングメッセージのフォーマット変換機能である。ページングメッセージを対応する無線チャネルに適するビットサイズにするために、padding 、分割、concatenation を行う。ユーザプレーン制御手段において、その機能を持たない状況において有効な機能である。
【００４５】
（６）ページングを行うために必要な情報をユーザプレーン制御手段へ転送する機能である。上記で述べたページングエリア、ページンググループ、ページングメッセージが、当該必要な情報となる。
【００４６】
ユーザプレーン制御手段が実装するページングに必要な機能は次の５つの機能がある。
（１）コントロールプレーン制御手段から受け取ったページングに必要な情報を受け取る機能である。上記で述べたページングエリア、ページンググループ、ページングメッセージを受信する機能である。
【００４７】
（２）ページングエリアを物理的なエリアに変換する機能（第二の問題の解決）である。論理的なエリアを指定するページングエリアから特定の無線基地局（複数のこともある）を特定し、その無線基地局に属する特定のセルを指定する。
【００４８】
（３）ページンググループからページング用無線チャネル設定情報に変換する機能（第一の問題の解決）である。論理的なページンググループを無線チャネルに関係するパラメータに変換する機能を指す。ＷＣＤＭＡシステムでは、間欠受信する端末はページングメッセージを運ぶ無線チャネルであるＳ−ＣＣＰＣＨに付随するチャネルＰＩＣＨをまず受信する。この付随するチャネルＰＩＣＨには、先述した如く、ページング識別子ＰＩが含まれており、そのＰＩに属する端末は次にページングメッセージを運ぶ無線チャネルＳ−ＣＣＰＣＨを受信する。ＮｏｄｅＢにおいて、これらページングメッセージを運ぶ無線チャネルとそれに付随するチャネルが生成される。この「ページング用無線チャネル設定情報」とは、ページングメッセージを運ぶ無線チャネルとそれに付随するチャネルに関する設定情報である。ページングメッセージを送信したい無線フレーム番号、付随するチャネルに載せる端末のページンググループ番号といった設定情報がある。
【００４９】
（４）現在の無線フレーム番号を把握する機能（第一の問題の解決）である。上記の「ページング用の無線チャネルを送信するタイミング」を決定するために必要である。また、ユーザプレーン制御手段から無線基地局にページングメッセージに関する情報を送信するタイミングを決定するためにも必要である。この機能があることにより、コントロールプレーン制御手段がトリガを受信してから最小限の時間差で端末にページングメッセージを届けることができる。
【００５０】
（５）ページングを行うために必要な情報をＮｏｄｅＢへ転送する機能である。上記のように、論理的な情報から変換した物理的な情報を元にＮｏｄｅＢへ転送するＷＣＤＭＡシステムでは、特定のセルが属するＮｏｄｅＢに対して以下の情報を送信する。すなわち、ページングに関係する無線チャネルの送信タイミング、間欠受信する端末が属するページンググループ宛のページングメッセージが送信されているか判断するために必要な情報、ページングメッセージである。
【００５１】
上述した第一の問題はページンググループという概念をコントロールプレーン制御手段−ユーザプレーン制御手段間で用いることで解決する。ユーザプレーン制御手段では、ページンググループとＮｏｄｅＢ間との同期情報からページング信号送信タイミングとページング識別子ＰＩを導き出す。これによりレイヤーが異なる情報を同列に扱う必要がなくなる。また、ＷＣＤＭＡ独自の無線パラメータをページンググループと言う概念で隠蔽したことで、ページングを用いる他の移動通信システムにも用いることができる。
【００５２】
また、上記の第二の問題はページングエリアをコントロールプレーン制御手段にて決定することで解決する。これにより、ページング信号を重複して同一のＮｏｄｅＢに送信させないためのユーザプレーン制御手段−ユーザプレーン制御手段間の信号が必要なくなる。
【００５３】
【発明の実施の形態】
以下に図面を参照しつつ本発明の実施の形態を詳細に説明する。図１は本発明の実施の形態が適用されるＲＮＣのＣ−Ｕ分離構造の機能ブロック図であり、図１１と同等部分は同一符号により示している。図１に示す如く、ＲＮＣ４が、シグナリングを転送制御するC-planeを担当するコントロールプレーン制御手段に相当するＣプレーンサーバ（ＣＰＳ：Control Plane Server）４１と、ユーザデータを転送制御するU-planeを担当するユーザプレーン制御手段に相当するＵプレーンサーバ（ＵＰＳ：User Plane Server ）４２とに分離される構成である。
【００５４】
ＣＰＳ４１は、ＵＰＳ４２の上位レイヤとして位置づけられたＲＲＣ１３においてＲＲＣメッセージを生成、終端する機能を有しており、またＵＰＳ４２はＭＡＣ１２１とＲＬＣ１２２が担当する機能を有している。移動機（ＵＥ）２とＲＮＣ４との間のＲＲＣシグナリングに関しては、ＵＰＳ４２内において、ＭＡＣ１２１が提供する機能や、ＲＬＣ１２２が提供する機能を利用した後、ＣＰＳ４１内のＲＲＣ１３へ転送するよう構成されている。
【００５５】
こうすることにより、図１１に示した既存のＲＮＣのプロトコルアーキテクチャにおいて、Ｌ１として示される物理レイヤ（ＰＨＹ）１１はノードＢ（無線基地局装置）６に、Ｌ２として示されるデータリンクレイヤ１２はＵＰＳ４２に、Ｌ３として示されるネットワークレイヤ１３はＣＰＳ４１に、それぞれ分離することができる。なお、図１においては、ＭＡＣ１２１とＲＬＣ１２２との接続関係は、図１１の例と同等であるので省略して示している。
【００５６】
ＣＰＳ４１内のＲＲＣ１３は、制御チャネルを提供するＣ−ＳＡＰ（Control Service Access Point）を用いて、ノードＢ内の物理レイヤ１１、ＵＰＳ４２内のＭＡＣ１２１、ＲＬＣ１２２を制御する。また、ＲＮＣ４とＭＳＣ（Mobile Switching Center ）３１やＳＧＳＮ（Serving GPRS(Global Packet Radio Service) Switching Node）３２との間のシグナリングは、ＣＰＳ４１において終端して処理を行うものとする。
【００５７】
なお、ＭＳＣ３１は回線交換機能を有し、ＳＧＳＮ３２はパケット交換機能を有するものであり、図１０に示したコアネットワーク（ＣＮ）３に含まれる。ユーザ情報はＵＰＳ４２を経由して、移動機（ＵＥ）２とＭＳＣ３１やＳＧＳＮ３２との間で授受される。
【００５８】
この様な図１に示した装置構成とすることにより、スケーラビリティに富んだシステム構成を組むことが可能となる。すなわち、シグナリングの処理能力を向上させる場合には、ＣＰＳ４１のみを追加し、またユーザデータ転送速度を向上させる場合には、ＵＰＳ４２のみを追加するようにすることができる。また、ＵＰＳ４２内の各機能は、それぞれの装置間では関係を持たず、ＣＰＳ４１内のＲＲＣ１３により制御されるために、独立の装置として実装することも可能である。
【００５９】
図２は図１に示したＣＰＳ４１のページング処理に係わる機能ブロック図であり、上記の「発明の作用」の欄で述べた６つの機能を有するものである。外部トリガ受信部１０１は、ページングに必要な情報の決定作業を起動する外部メッセージを受信する機能部分である。ページングエリア決定部１０２は、外部メッセージにページングエリアに関係する情報がある場合は、それを基に、ページングメッセージを送信するエリアを決定するものであり、そうでない場合は、予め定められたエリアとする。
【００６０】
ページンググループ決定部１０３は、上記外部メッセージに含まれる着信先の端末番号（ＩＭＳＩ）を基にページンググループを決定するものである。ここに、ページンググループとは、特定のページングメッセージを間欠受信する端末のグループ（着信群）を指し、上記外部メッセージに含まれる着信先の端末番号を基に、ページンググループ決定テーブル１１０を参照して決定される。
【００６１】
ページングメッセージ作成部１０５は、ページングメッセージを作成する機能を有している。ページングメッセージとは、ページング用無線チャネル（Ｓ−ＣＣＰＣＨ）を使って端末に送信される情報のことを指す。間欠受信する端末はこのメッセージを見て着信があるかを判断するものである。
【００６２】
ページングメッセージのフォーマット変換部１０６は、ページングメッセージを対応する無線チャネルに適するビットサイズにするために、padding 、分割、concatenation 等の処理を行って、ＰＨＹレイヤＬ１（図１参照）に渡すために必要なデータ長とするものである。
【００６３】
情報送信部１０７は、ページングを行うために必要な情報をＵＰＳ４２へ転送するものである。上記で述べたページングエリア、ページンググループ、ページングメッセージが、当該必要な情報である。
【００６４】
制御部１０８はＣＰＵ（コンピュータ）であり、上記各部１０１〜１０７の動作制御を、メモリ１０９に記憶されているプログラムを読取ってその手順に従って実行するものである。メモリ１０９は上記プログラムを格納するＲＯＭの他に、ＣＰＵ１０８の作業用のＲＡＭをも含む。
【００６５】
図３は図１に示したＵＰＳ４２のページング処理に係わる機能ブロック図であり、上記の「発明の作用」の欄で述べた５つの機能を有するものである。情報受信部２０１はＣＰＳ４１から受け取ったページングに必要な情報を受け取る機能を有しており、ページングエリア、ページンググループ、ページングメッセージを受信するものである。
【００６６】
ページングエリア変換部２０２は、ページングエリアを物理的なエリアに変換するものであり、論理的なエリアを指定するページングエリアから特定の無線基地局（複数のこともある）を特定し、その無線基地局に属する特定のセルを指定する。この場合の変換処理は、ページングエリア変換テーブル２０３を用いて行われる。
【００６７】
ページング用無線チャネル設定情報決定部２０４は、ページンググループから、ページング用無線チャネル設定情報であるＣＦＮ（Connection Frame Number ）及びページング識別子ＰＩを決定するものである。上述したように、ＷＣＤＭＡシステムでは、間欠受信する端末は、ページングメッセージを運ぶ無線チャネルであるＳ−ＣＣＰＣＨに付随するチャネルＰＩＣＨをまず受信する。この付随するチャネルＰＩＣＨには、先述した如く、端末が属するページンググループ（着信群）番号に対応したページング識別子ＰＩが含まれており、そのグループに属する端末は次にページングメッセージを運ぶ無線チャネルＳ−ＣＣＰＣＨにマッピングされた対応する無線フレーム内のＰＣＨを受信することになる。
【００６８】
そこで、ＮｏｄｅＢにおいて、これらページングメッセージを運ぶ無線チャネル（Ｓ−ＣＣＰＣＨ）とそれに付随するチャネル（ＰＩＣＨ）とが生成されるのであるが、これらページング用無線チャネルの設定のために、ＣＦＮ及びＰＩ（ページング用無線チャネル設定情報）が必要であり、このＣＦＮ及びＰＩを、ページング用無線チャネル設定情報決定部２０４が決定するようになっている。
【００６９】
また、ページング用無線チャネル設定情報決定部２０４は、ペーシングメッセージを送信する無線フレーム番号を、現在の無線フレーム番号を基に決定する。これにより、外部トリガの発生から、端末がペーシングメッセージを受信するまでの時間をできるだけ短くすることが可能となる。
【００７０】
情報送信部２０５は、ＮｏｄｅＢへページングメッセージ送信に必要な情報を送信するものであり、ページング用無線チャネル設定情報決定部２０４で決定されたページングメッセージを送信する無線フレーム番号よりも早いタイミングでＮｏｄｅＢへ送信する。
【００７１】
制御部２０６はＣＰＵ（コンピュータ）であり、上記各部２０１〜２０５の動作制御を、メモリ２０７に記憶されているプログラムを読取ってその手順に従って実行するものである。メモリ２０７は上記プログラムを格納するＲＯＭの他に、ＣＰＵ２０６の作業用のＲＡＭをも含む。
【００７２】
以下に、本発明の実施の形態の動作を説明する。図４はこの実施の形態の動作の流れの概略を示すシーケンス図である。ステップＳ１は外部からのトリガ受信を示しており、図２の外部トリガ受信部１０１の処理である。外部とはＷＣＤＭＡシステムでいえば、ＣＮ３のＭＳＣ３１／ＳＧＳＮ３２（図１参照）からの着信を知らせる信号に相当するものであり、ＲＡＮＡＰ（Radio Access Network Application Part ）プロトコルのページングメッセージがある。この信号には、端末識別子の他、ページングエリアが含まれることがある。
【００７３】
また、インターネットとの接続も考えられるが、この場合には、ＩＰネットワークで使われているＳＩＰ（Session Initiation Protocol ）のＩＮＶＩＴＥ受信も含まれるものとする。この場合、インターネットからは直接ユーザデータが届けられるので、ユーザデータそのものが外部トリガとなる。このユーザデータの例としては、ＩＰｖ６（Internet Protocol version 6 ）ヘッダが付されたものがあり、このヘッダには、宛先アドレスとして端末のＩＰｖ６アドレスがある。
【００７４】
ステップＳ２はページングエリアの決定を示しており、図２のページングエリア決定部１０２の処理を示している。ステップＳ１にて、ページングエリアに関する情報が含まれる時には、それを基に決定する。もしそれがない時は、“ｄｅｆａｕｌｔ”で予め決められているページングエリアを選択する。
【００７５】
図５はこのページングエリアの決定ステップＳ２の詳細を示しており、外部トリガが受信されると（ステップ２０１）、ページングエリア情報を含んでいるかどうかが判断され（ステップ２０２）、含んでいなければ、“ｄｅｆａｕｌｔ”で予め設定されているページングエリアが決定される（ステップ２０４）。ステップ２０２で含んでいれば、ＣＰＳとＵＰＳとの間で利用可能なページングエリア情報かどうかが判定され（ステップ２０３）、利用可能なもの、例えば、ＲＡＮＡＰによるページングメッセージに含まれるページングエリア情報であれば、これをそのまま後のページングエリア情報として流用する（ステップ２０５）。ステップ２０３で、利用可能でないものについても、ステップ２０４の処理がなされる。
【００７６】
ステップＳ３はページンググループの決定であり、ページンググループ決定部１０３の処理である。ステップＳ１にて受信した信号には、前述したように、着信先の端末番号が含まれる。その端末番号を基にページンググループ（着信群）を特定する。例えば、ＣＰＳ内に図６のようなページンググループ決定テーブル１１０（図２参照）を持ち実現するものとする。なお、ＩＰパケットの場合には、宛先アドレスをキーとして、予め準備されている変換テーブルを索引して、端末番号を決定する。この変換テーブルを準備する代りに、ＩＰｖ６アドレスと端末番号との対応情報を有する外部のサーバへ、問い合わせるようにしても良い。この決定された端末番号から、上記のページンググループ決定テーブル１１０を用いて、ページンググループを決定することができる。
【００７７】
ステップＳ４はページングメッセージの作成であり、ページングメッセージ作成部１０５の処理である。ここでのページングメッセージは３ＧＰＰ標準では、ＲＲＣプロトコルに従ったページングレタイプ１メッセージ（Paging Type1 Message ）に相当するものであり、このメッセージには、端末識別子（端末番号）を載せることができる。また、先のＲＡＮＡＰに従ったページングメッセージとは異なり、１つのページングタイプ１メッセージに複数の端末識別子を載せることができるようになっている。複数のＣＮから着信の通知があった場合、これ等各着信の通知に相当する端末識別子を重畳することが可能である。
【００７８】
図７はこのページングメッセージ作成処理の詳細を示すフロー図である。ある所定の時間、外部メッセージの待ち合わせを行うために、タイマを起動する（ステップ３０１）。その間に外部から届いたメッセージから端末識別子を抽出する（ステップ３０２〜３０３）。なお、インターネットからのＩＰｖ６パケットの場合には、ページンググループの決定処理（ステップＳ３）で得られた端末番号（端末識別子）を使用する。
【００７９】
こうして得られた端末識別子を基に、ＲＲＣに従ったページングタイプ１メッセージを作成する。このとき、複数の外部メッセージを受信していれば、上述したように、多重化を行うのであるが、複数のメッセージのうち、同一の端末識別子に対応するものがあれば、重複している端末識別子の１つだけを残して、他の端末識別子と多重化してメッセージの作成を行うことになる（ステップ３０４，３０５）。
【００８０】
ステップＳ５はページングメッセージのフォーマット変換であり、ページングメッセージフォーマット変換部１０６の処理である。３ＧＰＰ標準では、ＲＲＣに従ったページングタイプ１メッセージは、ＲＬＣ，ＭＡＣにおいて、いわゆるトランスペアレント（transparent ）に扱われる。これにより、ページングタイプ１メッセージ自体はＵＰＳにおいてフォーマット変換処理はなされない。しかし、ＲＬＣ，ＭＡＣを経由してＰＨＹへ渡される時には、常に決まったデータ長とする必要がある。ＵＰＳでは、ＣＰＳから受け取ったＲＲＣに従ったページングタイプ１メッセージを含むデータに対しては、手を加えないので、ＣＰＳにおいて、ＰＨＹへ渡すために必要なデータ長に手を加える必要がある。
【００８１】
そこで、ページングメッセージがページング用無線チャネルに対し適切なビット長でない時、ＣＰＳにおいて適切な長さになるように、パデング（padding ）、分割、連結（concatenation ）などの処理を行うのである。
【００８２】
ステップＳ６はＣＰＳからＵＰＳへのメッセージ送信であり、情報送信部１０７の動作処理である。上記ステップＳ２〜ステップＳ５にて決定、作成されたページングエリア、ページンググループ、ページングメッセージをＣＰＳからＵＰＳに送信する。
【００８３】
以上はＣＰＳで実行される処理（機能）であり、次にＵＰＳで実行される処理（機能）について説明する。ＵＰＳからのページングエリア、ページンググループ、ページングメッセージは、ＵＰＳの情報受信部２０１（図３参照）にて受信され、ステップＳ７で、ページングエリアがＮｏｄｅＢ番号またはセル番号に変換される。この変換処理は図３のページングエリア変換部２０２にて行われる。ページングエリアを基に、ページングメッセージを送信する物理的なエリアを特定するものであり、図８に示すようなページングエリア変換テーブル２０３（図３参照）を用いて変換処理される。例えば、ページングエリアが１００１のときには、ＮｏｄｅＢ番号５０〜５２のＮｏｄｅＢに対して、またはセル番号１０〜１４のセルに対しページングメッセージが送信されることになる。
【００８４】
ステップＳ８は、ページンググループを用いたページング用無線チャネル設定情報決定処理であり、図３のページング用無線チャネル設定情報決定部２０４の機能である。具体的には、ページンググループからページングメッセージ送信タイミング、間欠受信タイミングの情報に変換するものであり、論理的なページンググループを無線チャネルに関係するパラメータに変換するものである。ＷＣＤＭＡシステムを例として挙げると、ページングメッセージを送信したい無線フレーム番号（ＣＦＮ：Connection Frame Number ）、ページングメッセージを運ぶ無線チャネル（Ｓ−ＣＣＰＣＨ）に付随するチャネル（ＰＩＣＨ）に載せる端末のグループ番号（ページング識別子：ＰＩ）といったパラメータがある。
【００８５】
ページングメッセージを送信する無線フレーム番号ＣＦＮは、ＵＰＳとＮｏｄｅＢ間の同期をとることで得られる現在の無線フレーム番号を基に決定されることになる。こうすることにより、外部トリガのＣＰＳでの受信から、端末がページングメッセージを受信するまでの時間を短くすることができることになる。
【００８６】
再度述べるが、上述したＲＲＣに従ったページングタイプ１はＰＨＹレイヤＬ１（１１）にて、無線上のチャネルであるＳ−ＣＣＰＣＨにマッピングされる。また、これに付随するチャネルであるＰＩＣＨには、端末のグループ番号であるページング識別子ＰＩが載っており、待受け状態にある各端末はある周期でこのＰＩＣＨを見にいくことになる。この周期は間欠受信タイミングと称される。これにより、端末が自分宛にページングメッセージが届いていることを知ると、ＰＩＣＨからある程度時間経過後に送信されるＳ−ＣＣＰＣＨにマッピングされている対応する無線フレーム内ＰＣＨを受信することになる。従って、端末が間欠受信する時間と、Ｓ−ＣＣＰＣＨ及びＰＩＣＨの送信時間とが合致するように調整する必要がある。またＰＩＣＨの作成に必要な情報を準備する必要もある。
【００８７】
ここで、ＵＰＳとＮｏｄｅＢとの間はＩubインタフェースにより接続されており、その間には、Frame Protocol（ＦＰ）と称される形式でデータの授受を行う必要がある。このＦＰは、チャネル種別毎にフォーマットが規定されており、ページング用チャネルのフォーマットには、送信タイミング（ＣＦＮ）、ＰＩＣＨの生成に必要な情報であるＰＩビットマップ、ＰＨＹレイヤへ渡すために必要なデータ長に整えられたページングメッセージ（ＲＲＣ：ページングタイプ１）が含まれる。
【００８８】
上記の送信タイミングやＰＩＣＨの生成に必要な情報は、ＵＰＳで作成するものとしており、これら作成される情報の基となるのが、ＣＰＳから渡されるページンググループである。３ＧＰＰでは、送信タイミング、ＰＩＣＨの生成に必要な情報としての端末識別子ＩＭＳＩ、間欠受信タイミング、ＵＰＳとＮｏｄｅＢ間の同期をとることで得られる現在のＣＦＮ、ページングメッセージを送信するＳ−ＣＣＰＣＨの数などのパラメータが規定されており、３ＧＰＰでは、これ等のパラメータからＣＦＮ、ＰＩビットマップを導き出す計算手法が規定されており、先に挙げた非特許文献２に開示されている。
【００８９】
図９はこのページング用無線チャネル設定情報決定処理の詳細を示すフローチャートである。先ず、ページンググループのデータを受信すると（ステップ４０１）、このページンググループからＰＩＣＨの生成に必要な情報である、ＩＭＳＩ、間欠受信間隔、Ｓ−ＣＣＰＣＨの数等のパラメータを得る（ステップＳ４０２）。ページンググループとこれ等パラメータとの関係を示すテーブルを、ＵＰＳが予め持つことにより、これ等パラメータをＵＰＳが取得できる。
【００９０】
次に、現在のＣＦＮを得る（ステップＳ４０３）。そして、ＩＭＳＩ、間欠受信間隔などのパラメータ及び現在のＣＦＮから、ＣＦＮ、ＰＩビットマップを決定する。この決定手法も、上述したように、上記非特許文献２に規定された方法による。こうして得られた、ページング用の無線チャネル設定情報は、現在のＣＦＮを基に、早めにＮｏｄｅＢへ送信されるように送信タイミングが決定されることになる（ステップＳ４０５）。すなわち、ステップＳ８で決定されたページングメッセージを送信する無線フレーム番号ＣＦＮよりも早いタイミングで無線基地局へ送信される。
【００９１】
ステップＳ１０において、無線基地局から端末へページングメッセージがページング用無線チャネル（Ｓ−ＣＣＰＣＨ，ＰＩＣＨ）を用いて送信されるのである。
【００９２】
【発明の効果】
以上述べたように、コントロールプレーンを担当するＣＰＳが、ペーシング処理起動のための外部トリガに応答して、この外部トリガに含まれる端末識別情報に基づきページンググループ情報を決定し、このページンググループ情報をユーザプレーンを担当するＵＰＳに渡し、このＵＰＳにおいて、このページンググループ情報を基にページング用無線チャネル設定情報を生成するようにしたので、以下のような効果が生ずる。
【００９３】
すなわち、ＣＰＳとＵＰＳとの間で渡されるページングに関する情報は、無線依存でない（例えば、ＷＣＤＭＡ、その他の無線方式に依らない）ページンググループという情報であり、ＵＰＳでは、これを無線依存の情報に変換してページングを行うので、無線制御装置であるＲＮＣのＣ−Ｕ分離が可能になり、C-plane とU-plane とが互いに依存しないで発展していくことができ、またC-plane とU-plane とに掛かる負荷が、互いに異なる状況でも柔軟に対応できるという効果がある。
【図面の簡単な説明】
【図１】本発明の実施の形態が適用される無線制御装置（ＲＮＣ）を含むシステムブロック図である。
【図２】図１のＣＰＳの機能ブロック図である。
【図３】図１のＵＰＳの機能ブロック図である。
【図４】本発明の実施の形態の全体的動作を示すシーケンス図である。
【図５】ページングエリア決定部の動作フロー図である。
【図６】ページンググループ決定テーブルの例を示す図である。
【図７】ページングメッセージ作成部の動作フロー図である。
【図８】ページングエリア変換テーブルの例を示す図である。
【図９】ページング用無線チャネル設定情報決定部の動作フロー図である。
【図１０】Ｗ−ＣＤＭＡ移動通信システムにおけるシステムアーキテクチャを示す図である。
【図１１】図１０のＲＡＮにおけるプロトコルアーキテクチャを示す図である。
【符号の説明】
２  移動機（端末：ＵＥ）
３  コアネットワーク（ＣＮ）
４，５  無線制御装置（ＲＮＣ）
６〜９  ＮｏｄｅＢ（無線基地局）
１１  物理（ＰＨＹ）レイヤ
１３  ＲＲＣ
４１  Ｃプレーンサーバ（ＣＰＳ）
４２  Ｕプレーンサーバ（ＵＰＳ）
１０１  外部トリガ受信部
１０２  ページングエリア決定部
１０３  ページンググループ決定部
１０５  ページングメッセージ作成部
１０６  ページングメッセージのフォーマット変換部
１０７，２０５  情報送信部
１０８，２０６  制御部（ＣＰＵ）
１０９，２０７  メモリ
１１０  ページングエリア決定テーブル
２０１  情報受信部
２０２  ページングエリア変換部
２０３  ページングエリア変換テーブル
２０４  ページング用無線チャネル設定情報決定部
【図１】
2004194015.tif 000003
【図２】
2004194015.tif 000004
【図３】
2004194015.tif 000005
【図４】
2004194015.tif 000006
【図５】
2004194015.tif 000007
【図６】
2004194015.tif 000008
【図７】
2004194015.tif 000009
【図８】
2004194015.tif 000010
【図９】
2004194015.tif 000011
【図１０】
2004194015.tif 000012
【図１１】
2004194015.tif 000013
【手続補正書】
【提出日】平成15年10月27日(2003.10.27)
【手続補正１】
【補正対象書類名】明細書
【補正対象項目名】００１０
【補正方法】変更
【補正の内容】
【００１０】
【非特許文献２】
３ＧＰＰ  ＴＳ２５．３０４ｖ３．７．０（Ｒｅｌｅａｓｅ  ９９），ｐ．２９